(57)【要約】【課題】ＡＴＭに適用される振込機能を具備するＩＣカードのメモリ内に登録された振込先データの有効期間を管理する。【解決手段】ＣＰＵと書込み読み出し可能なメモリとを具備しかつ振込依頼手続に関しＡＴＭとの間でデータを授受するＩＣカードにおいて、ＡＴＭから新規の振込先データを受信しかつメモリに登録する振込先データ登録手段と、メモリに登録された１又は複数の振込先データの各々に対し有効期間を設定する有効期間設定手段と、有効期間が経過したか否かを判断する有効期間経過判断手段と、有効期間が経過したと判断された振込先データをメモリから削除する振込先データ削除手段とを有する。【選択図】  図１
2004310572.tif 000002
【特許請求の範囲】
【請求項１】
ＣＰＵと書込み読み出し可能なメモリとを具備しかつ振込依頼手続に関しＩＣカード端末機との間でデータを授受するＩＣカードにおいて、
前記ＩＣカード端末機から新規の振込先データを受信しかつ該新規の振込先データを前記メモリに登録する振込先データ登録手段と、
前記メモリに登録された１又は複数の振込先データの各々に対し有効期間を設定する有効期間設定手段と、
前記有効期間が経過したか否かを判断する有効期間経過判断手段と、
前記有効期間が経過したと判断された振込先データを前記メモリから削除する振込先データ削除手段とを有することを特徴とする
振込先データの有効期間管理機能付きＩＣカード。
【請求項２】
前記振込依頼手続のために前記メモリに登録された１又は複数の振込先データを前記ＩＣカード端末機へ送信する手段と、
前記振込依頼手続の完了データと共に該振込依頼手続に用いられた振込先データを識別する識別情報を前記ＩＣカード端末機から受信する手段と、
前記識別情報に基づき前記メモリに登録された振込先データを識別しかつ該識別した振込先データに対し設定されている有効期間を更新する有効期間更新手段とをさらに有することを特徴とする
請求項１に記載の振込先データの有効期間管理機能付きＩＣカード。
【発明の詳細な説明】
【０００１】
【発明の属する技術分野】
本発明は、銀行等の金融機関の自動取引装置（ＡＴＭ）等において振込依頼手続を行うために使用されるＩＣカードに関する。
【０００２】
【従来の技術】
銀行等の金融機関の自動取引装置（ＡＴＭ）の機能の１つに、振込依頼手続がある。振込依頼手続では、現金による場合も自己の口座からの引落しの場合も、振込先情報を入力する必要がある。通常、ＡＴＭに設けられた液晶表示装置等の画面上に表示された指示に従ってタッチスクリーンや押ボタン等の入力手段を用いて、振込先の金融機関、支店、受取人、預金種目、受取人口座番号を入力する必要がある。
【０００３】
定期的若しくは頻繁に同じ振込先に振込む場合、あるいは多数の異なる振込先に同時に振込む場合などは、上記の振込先情報の入力操作を行うことは非常に煩わしく、また誤って入力する可能性も高くなる。
【０００４】
この問題に対処すべく、例えば特許文献１〜特許文献３等では、振込先データを記録した振込カードを発行し、この振込カードをＡＴＭのカード読取装置に適用すると振込先データが自動的にＡＴＭに読み込まれるシステムが提示されている。
【０００５】
また、例えば特許文献４及び特許文献５等では、過去の振込先データをホストコンピュータのデータベースに記録しておき、振込人がＡＴＭで振込依頼手続を開始すると、記録された振込先データをＡＴＭの画面に表示し、振込人がその中から振込先を選択するシステムが提示されている。
【０００６】
さらに、例えば特許文献６及び特許文献７等では、ＩＣカードの記憶部に複数の振込先データが記録され、このＩＣカードをＡＴＭのカード読取書込装置に適用すると複数の振込先データが読み取られてＡＴＭの画面上に表示され、振込人がその中から振込先を選択するシステムが提示されている。
【０００７】
【特許文献１】
特開平５−２１０６９３号公報
【特許文献２】
特開平６−２８２７２８号公報
【特許文献３】
特開平７−３３４７３１号公報
【特許文献４】
特開平７−３１１８０６号公報
【特許文献５】
特開平１１−５３６１６号公報
【特許文献６】
特開平９−１０６４３１号公報
【特許文献７】
特開２００１−１４５１４号公報
【０００８】
【発明が解決しようとする課題】
特許文献１〜３等の振込カード方式は、１つの振込先のみを記録したカードであるので多数の振込先がある場合は効率的ではなく、また、専用のカード発行機から発行され、特定の金融機関のＡＴＭにのみ適用可能であるので汎用性に欠ける。また、読取専用で書き換え不能なものもある。また、多くの場合、金融機関がカードの発行／在庫管理を行っており、システム負担及び事務処理負担が発生していた。
【０００９】
特許文献４及び５等の振込先データのホスト管理方式は、ホストコンピュータによるデータベース管理、ＡＴＭとホストとの間でのデータ通信に関するシステム処理の負担が増大することとなる。また、特定の金融機関のＡＴＭでのみ利用可能である。
【００１０】
特許文献６及び７等のＩＣカードに複数の振込先データを登録する方式は、ＩＣカードの特長である大容量記憶が可能である点とセキュリティの点で優れている。
【００１１】
しかしながら、ＡＴＭでマニュアル操作により新規の振込先への振込依頼手続を行った場合に、ＡＴＭに挿入されているＩＣカードに新規の振込先データが振込人の意思に関わりなく自動的に登録されたり、登録されている振込先であっても事情により振込みを行う必要がなくなったりして、メモリ内に不要な振込先データが多数蓄積されたままとなる場合がある。このような場合、ＩＣカードを用いて振込依頼手続を行おうとすると、ＡＴＭの表示画面上に多すぎる振込先データが表示され、かえって選択操作が困難となる。ＡＴＭにＩＣカードデータの編集機能がある場合は、自分で不要な振込先データを削除できるが、各データについて一々不要であるか否かを確認して削除操作を行うことは煩雑である。
【００１２】
以上の現状に鑑み、本発明は、金融機関のＡＴＭに適用される振込機能を具備するＩＣカードにおいて、ＩＣカードのメモリ内に登録された振込先データが際限なく増加していくことを防止することを実現し、かつ、振込人が特別な操作を行うことなくこれを実現することを目的とする。
【００１３】
さらに、ホストコンピュータ及びＡＴＭのシステム処理負担を増すことなくこれを実現することを目的とする。
【００１４】
またさらに、いずれの金融機関のＡＴＭへも適用可能なＩＣカードを提供することを目的とする。加えて、ＡＴＭのみでなく、ＡＴＭと同様にＩＣカードの読み取り書込み機能を具備する情報端末装置、例えば、パーソナル・コンピュータ又は携帯電話若しくはＰＤＡ等のモバイル端末へも適用可能なＩＣカードを提供することを目的とする。
【００１５】
【課題を解決するための手段】
上記の目的を達成すべく、本発明は、以下の構成を提供する。
（１）請求項１に係る発明は、ＣＰＵと書込み読み出し可能なメモリとを具備しかつ振込依頼手続に関しＩＣカード端末機との間でデータを授受するＩＣカードにおいて、
（ａ）前記ＩＣカード端末機から新規の振込先データを受信しかつ該新規の振込先データを前記メモリに登録する振込先データ登録手段と、
（ｂ）前記メモリに登録された１又は複数の振込先データの各々に対し有効期間を設定する有効期間設定手段と、
（ｃ）前記有効期間が経過したか否かを判断する有効期間経過判断手段と、
（ｄ）前記有効期間が経過したと判断された振込先データを前記メモリから削除する振込先データ削除手段とを有することを特徴とする振込先データの有効期間管理機能付きＩＣカードである。
【００１６】
（２）請求項２に係る発明は、上記請求項１に係るＩＣカードであってさらに、
（ｅ）前記振込依頼手続のために前記メモリに登録された１又は複数の振込先データを前記ＩＣカード端末機へ送信する手段と、
（ｄ）前記振込依頼手続の完了データと共に該振込依頼手続に用いられた振込先データを識別する識別情報を前記ＩＣカード端末機から受信する手段と、
（ｆ）前記識別情報に基づき前記メモリに登録された振込先データを識別しかつ該識別した振込先データに対し設定されている有効期間を更新する有効期間更新手段とをさらに有することを特徴とする。
【００１７】
【発明の実施の形態】
以下、図面を参照しつつ本発明の実施の形態を説明する。図１は、本発明による振込先データの有効期間管理機能付きＩＣカード１０の模式的かつ概略的な構成を示すと共に、当該ＩＣカードを適用されるＡＴＭ２０並びに当該ＡＴＭ２０と適宜の通信ネットワークにより接続された金融機関のホストコンピュータ３０についても模式的かつ概略的に示した図である。ＩＣカード１０、ＡＴＭ２０及びホストコンピュータ３０は、いずれも実際には多機能システムであるが、本発明に直接関係する振込依頼手続に関する部分についてのみ示し、他の機能については図示及び説明を省略する。尚、以下では、ＩＣカード読取／書込手段を具備しかつホストコンピュータとの間で通信ネットワークを介してデータ授受する手段を具備するＩＣカード端末機の一般的な例としてＡＴＭの場合について説明するが、これらの手段を具備する装置であれば、パーソナル・コンピュータ又は携帯電話若しくはＰＤＡ等のモバイル端末であっても本発明を実施可能である。従って本明細書では、これらを総じて「ＩＣカード端末機」と称することとする。よって、本明細書における「ＩＣカード端末機」には、ＡＴＭ以外に、パーソナル・コンピュータ又は携帯電話若しくはＰＤＡ等のモバイル端末等を含む場合がある。
【００１８】
本発明におけるＩＣカード１０は、ＩＣチップが内蔵されており、ＣＰＵ１１ａと、本発明の機能を実現するプログラムを記憶したＲＯＭ１１ｂと具備する制御部１１が設けられている。その他に、ＩＣチップ内には、制御部１１により制御されるデータ処理用の書込み読み出し可能なメモリ１２、例えばＥＥＰＲＯＭ等が設けられる。また、制御部１１の制御の下にＡＴＭ２０との間で電子データを授受するためのインタフェース１４が設けられる。以下の説明では、インタフェース１４が接触型の場合について説明するが、非接触型であっても本発明を実施可能である。
【００１９】
ＩＣカード１０のＲＯＭ１１ｂに記憶されたプログラムをＣＰＵ１１ａが実行することにより実現される機能の１つが、本発明に特徴的な有効期間データ管理手段１３である。ここで「有効期間」とは、メモリ１２に記憶されている各振込先に関する登録データ（以下、「振込先データ」と称する）の有効期間である。例えば、６ヶ月である。
【００２０】
振込先データは、例えばテーブル形式のファイルとしてメモリ１２内に記憶される。図２は、テーブル形式のファイルとして振込先データを記憶した振込先テーブル１２ａの一例を模式的に示した図である。振込先テーブル１２ａには、カードユーザがＩＣカードを用いてＡＴＭ２０において振込依頼手続行った振込先の情報データ、若しくは、ＡＴＭ２０と同様にＩＣカードの読み取り書込み機能を具備する情報端末装置により入力された振込先の情報データが登録されている。複数の振込先を登録可能であり、各登録先に登録番号が割り当てられている。データ項目としては、例えば、「振込先銀行コード」、「振込先支店番号」、「受取人名」、「預金種目」、「受取人口座番号」の振込手続に不可欠の情報が含まれる。それぞれのデータ項目に対して具体的なデータ内容が記憶されている。尚、振込先銀行コード及び振込先支店番号は、それぞれ振込先銀行名及び振込先支店名と対応付けられている。
【００２１】
さらに、振込先データのデータ項目として「有効期間」がある。有効期間データ管理手段１３の有効期間設定更新機能１３ａは、このデータ項目「有効期間」のデータ内容を設定し、また、更新する。設定においては、振込先データの新規登録時に、例えば６ヶ月後の日付をデータ内容として記憶する。そして、この有効期間内に再びＡＴＭにおいて同じ振込先データが用いられると、その用いられた振込先データの有効期間が更新される。すなわち、再び使用された時点から６ヶ月後の日付を新たなデータ内容として記憶する。
【００２２】
有効期間データ管理手段１３の有効期間経過判断機能１３ｂは、ＩＣカードがＡＴＭ２０において振込依頼手続に使用されたとき、振込先テーブル１２ａに記憶された「有効期間」のデータ内容を現時点と比較することにより、有効期間を経過しているか否かを判断する。さらに、振込先データ削除機能１３ｃは、有効期間を経過していると判断された振込先データを、振込先テーブル１２ａから、すなわちメモリ１２内から削除する。
【００２３】
有効期間データ管理手段１３は、カードユーザの意思に関わり無く、カードユーザがＡＴＭ２０において振込依頼手続を行ったときに自動的に起動される。これにより、有効期間内に一度も使用されなかった振込先データは、自動的にＩＣカード１０のメモリ１２内から削除されるので、不要な振込先データが際限なく蓄積していくことが避けられる。
【００２４】
ＡＴＭ２０は、ＣＰＵ２１ａを主体とする制御部２１を具備するコンピュータ装置であり、ＣＰＵ２１ａが図示しないＲＯＭ等の主記憶装置に記憶されたプログラムを実行することによりＡＴＭ２０の種々の機能を実現する。ＩＣカード読取／書込手段２２は、ＩＣカード１０との間で電子データを授受するする機能を具備する。例えば、接触型ＩＣカードでは、ＩＣカードの外部端子を介してＩＣカードへ電源供給されると同時にデータ入出力が行われる。表示手段２４は、液晶表示装置等の表示装置であり、制御部２１の制御の下に振込依頼手続に関連する操作指示や確認要求のための表示を行う。入力手段２５は、タッチスクリーン、キーボード又は押しボタン等であり、制御部２１の制御の下に振込依頼手続に関連するカードユーザの操作による入力データをＡＴＭ２０内に取り込む。記憶手段２６は、書込み読み出しが可能な記憶装置であり、ＲＡＭや磁気ディスク等の補助記憶装置である。制御部２１の制御の下、ＡＴＭ２０の機能に関連する種々のデータ処理に使用される。通信手段２７は、ホストコンピュータ３０との間で電子データを授受する。本発明に関しては、振込依頼手続に関連するデータの送受信が行われる。例えば、ＡＴＭ２０から振込先データ、振込人データ及び振込金額データがホストコンピュータ３０へ送信されると、ホストコンピュータ３０からは手続完了データが返信される。
【００２５】
ホストコンピュータ３０は、金融機関の業務用コンピュータであり、制御部３１はＣＰＵ３１ａを主体として、図示しないＲＯＭ等の主記憶装置に記憶されたプログラムを実行することによりホストコンピュータ３０の種々の機能を実現する。その業務機能の一つとして振込実行手段３２があり、ＡＴＭ２０から受信した上記の振込依頼手続に関連するデータに基づいて振込処理を実行する。通信手段３３は、ＡＴＭ２０との間で電子データを授受する。
【００２６】
図３及び図４は、本発明による有効期間管理機能付きＩＣカード１０の有効期間データの管理フローを説明する概略的な流れ図である。尚、ＩＣカード１０は、ＡＴＭ２０と連動して動作するので、説明のためにＡＴＭ２０における処理フローと共に説明する。従って、図３にＡＴＭ２０における振込依頼手続の処理フローを、図４にＩＣカード１０における有効期間データ管理フローをそれぞれ実線で示し、互いの間で呼応して動作するフローを点線で示している。以下、図３のステップ１０１から順に説明する。尚、必要に応じて、図５に示すＡＴＭ２０の表示手段２４における画面表示例を参照する。
【００２７】
図３のステップ１０１において、カードユーザがＡＴＭのＩＣカード挿入口へＩＣカードを挿入すると、ＩＣカード読取／書込手段がこれを認識する。
【００２８】
ＩＣカード読取／書込手段によるＩＣカードの認識に応じて、図３のステップ１０２においてＡＴＭの表示手段の表示画面上にＡＴＭにより手続可能な取引種類が表示される。例えば、図５（Ａ）に概略的に示すように、「引出し」、「振込み」、「残高照会」、「入金」等が表示される。表示画面２４がタッチスクリーンであれば、表示部分が入力手段を兼ねているので、符号４１で示す「振込み」部分を押すことにより、振込依頼手続を選択し、入力する。これによりＡＴＭは、振込依頼手続の処理を開始する。
【００２９】
図３のステップ１０３において、ＡＴＭは、ＩＣカードに記憶された振込先データを取得すべく、ＩＣカード読取／書込手段を介しＩＣカードに対して振込先データを要求するデータ送信を行う。
【００３０】
ＡＴＭからの振込先データの要求は、図４のステップ２０１においてＩＣカードにより受信される。
【００３１】
図４のステップ２０２において、ＩＣカードのメモリ内の振込先データを取り出す。例えば、図２に示す振込先テーブルに記憶されたデータ内容全てである。
【００３２】
図４のステップ２０３において、ＩＣカードは、取り出した振込先データをＡＴＭへ送信する。
【００３３】
図３のステップ１０４において、ＡＴＭは、ＩＣカードから振込先データを受信する。
【００３４】
図３のステップ１０５において、ＡＴＭは、ＩＣカードから受信した振込先データを表示画面上に表示し、カードユーザに対し所望する振込先を選択、入力することを要求する。例えば、図５（Ｂ）に概略的に示すように、「Ａ銀行ａａ支店・・・」、「Ｂ銀行ｂｂ支店・・・」等、銀行名、支店名、預金種目、口座番号、受取人名を含む振込先データが一覧表示される（符号４２）。尚、カードユーザの所望する振込先が一覧表の中にない場合もあり得るので、「新規振込先」という項目４３も表示する。
【００３５】
図３のステップ１０６において、カードユーザは、図５（Ｂ）の一覧表示４２の中から所望する振込先を１つ選択し入力するか、一覧表示４２の中にない場合は新規振込先のデータを入力する必要があるため「新規振込先」という項目４３を選択し入力する。
【００３６】
図３のステップ１０７において、ＡＴＭは、カードユーザが一覧表示の中から振込先を選択したか、あるいは、新規振込先の入力を希望しているかを判断する。
【００３７】
カードユーザが一覧表示の中から振込先を選択した場合は、図３のステップ１０８において、通常のＡＴＭとホストコンピュータの間での振込依頼手続を実行する。例えば、一覧表示の中から選択された振込先データがＡＴＭ内の記憶手段に一時的に記憶される。引き続き、カードユーザが、振込金額を入力する。その後、振込内容が改めて表示画面に表示され、カードユーザがそれを確認し、承諾データを入力すると、ＡＴＭはホストコンピュータへ振込依頼データを送信する。ホストコンピュータはＡＴＭからの振込依頼データを受信し、受け付ける。ホストコンピュータは、ＡＴＭに対して依頼受付完了を通知するデータを返信する。その後、ホストコンピュータは適宜の時点で振込手続を実行する。
【００３８】
ホストコンピュータから依頼受付完了を通知するデータを受信したＡＴＭは、図３のステップ１０９において、ＩＣカードに対し、手続完了を通知する手続完了データを送信する。尚、この手続完了データには、今回の振込依頼手続に用いた振込先データを示すための識別情報が含められる。識別情報は、例えば図２の振込先テーブルの「登録番号」等の各振込先データに固有の情報であればよい。れるものとする。別の実施例では、この識別情報は、今回の振込依頼手続に用いた振込先データ自体であってもよい。
【００３９】
一方、図３のステップ１０７において、カードユーザが新規振込先の入力を希望している場合は、図３のステップ１１０において新規振込先を入力する。図５（Ｃ）にＡＴＭの表示画面例を示す。すなわち、ＡＴＭの表示画面上に表示された指示に従って、「振込先銀行コード」、「振込先支店番号」、「預金種目」、「受取人口座番号」、「受取人名」を入力していく。このとき入力された新規の振込先データはＡＴＭ内の記憶手段に一時的に記憶される。
【００４０】
次に、図３のステップ１１１において、入力された新規の振込先データに基づいて通常のＡＴＭとホストコンピュータの間での振込依頼手続を実行する。すなわち、ステップ１１１では、上記のステップ１０８と同じ処理が行われる。
【００４１】
そして、ホストコンピュータから依頼受付完了を通知するデータを受信したＡＴＭは、図３のステップ１１２において、ＩＣカードに対し、手続完了を通知する手続完了データを送信する。このとき、ステップ１０９と異なる点として、ＡＴＭは、上記ステップ１１０においてＡＴＭ内に一時的に記憶されていた新規の振込先データもＩＣカードへ送信する。
【００４２】
図４のステップ２０４において、ＩＣカードは、ＡＴＭから手続完了データを受信する。このとき、手続完了データに新規の振込先データが含まれていないか（すなわち図３のステップ１０９からの流れ）、あるいは、手続完了データと共に新規の振込先データも受信したか（すなわち図３のステップ１１２からの流れ）を判断する。
【００４３】
図４のステップ２０４において前者すなわち手続完了データに新規の振込先が含まれていない場合は、図４のステップ２０５において、今回の振込依頼手続に用いたメモリ内の振込先データの有効期間を更新する。図３のステップ１０９で述べた通り、この手続完了データには、今回の振込依頼手続に用いた振込先データを示すための識別情報、例えば図２の振込先テーブルの「登録番号」等が含まれている。例えば、識別情報が「登録番号」であり、その「登録番号」が「２」である場合、図２の振込先テーブルに設定されている「有効期間」は「２００３０８３１」すなわち２００３年８月３１日であるが、今回の振込依頼手続が２００３年４月１日に行われたとすると、その６ヶ月後の２００３年１０月１日すなわち「２００３１００１」に更新される。
【００４４】
図４のステップ２０４において後者すなわち手続完了データと共に新規の振込先データを受信した場合は、図４のステップ２０６において、メモリ内に新規の振込先データを登録し、その有効期間を設定する。例えば、図２の振込先テーブルに「登録番号」が「１」〜「６」まで登録されているならば、新規の振込先データは「登録番号」を「７」として登録する。それと同時に、今回の振込依頼手続が２００３年４月１日に行われたとすると、その６ヶ月後の２００３年１０月１日すなわち「２００３１００１」が「有効期間」として設定される。
【００４５】
次に、図４のステップ２０７において、メモリ内の登録されている全ての振込先データについて有効期間を超過しているものがあるか否かを判断する。これは、各振込先データの「有効期間」の内容データと現時点の日付データとを比較することにより行う。現時点の日付データは、ＡＴＭから取得することができる。例えば、現時点の日付データが「２００３０７３１」すなわち２００３年７月３１日であれば、「有効期間」が「２００３０７１５」すなわち２００３年７月１５日の振込先データは有効期間を超過しており、「有効期間」が「２００３０８３１」すなわち２００３年８月３１日の振込先データは有効期間を超過していない。尚、上記ステップ２０５又はステップ２０６において更新又は新規登録されたばかりの振込先データについては、当然、有効期間を超過していないことを注記する。
【００４６】
図４のステップ２０８において、有効期間を超過しているメモリ内の振込先データを削除する。一方、有効期間を超過していない振込先データについては変更しない。
【００４７】
図４のステップ２０９において、ＡＴＭに対しＩＣカードでの処理が完了したことを通知する処理完了データを送信する。
【００４８】
尚、図４のステップ２０４〜２０８のＩＣカード内処理は、本発明独自のものである。
【００４９】
ＩＣカードでの処理が完了すると、図３のステップ１１３において、ＡＴＭはＩＣカードから処理完了データを受信する。
【００５０】
続いて、図３のステップ１１４において、ＡＴＭはＩＣカードを排出する。これにより、全ての処理が終了する。
【００５１】
尚、図３及び図４を参照して説明した処理フローでは、本発明に特徴的なＩＣカードの振込先データの有効期間管理の処理ステップ（図４のステップ２０４〜２０８、特に図４のステップ２０７及び２０８）が、ＡＴＭでの振込依頼手続の完了後に実行されている。しかしながら、この有効期間管理の処理ステップは、ＡＴＭでの振込依頼手続の処理フローのいずれの時点に挿入することも可能であり、上記で説明した実施例に限定されない。例えば、ＩＣカードがＡＴＭへ適用（挿入）された直後に、ＩＣカード内で振込先データの有効期間管理の処理ステップが実行されることにより有効期間を経過した振込先データが削除され、その後にＩＣカード内の振込先データをＡＴＭへ送信し、ＡＴＭに表示するようにしてもよい。
【００５２】
また、ＡＴＭから見た場合、本発明による有効期間管理機能付きＩＣカードであっても、従来通りの有効期間管理機能のないＩＣカードであっても、ほぼ同様のデータ授受を行うことになる。すなわち、本発明による有効期間管理機能付きＩＣカードは、既存のＡＴＭ及びホストコンピュータのシステムに大きな変更を加えることなく適用することができ、低コストで早期に実施することが可能である。また、金融業界内でＩＣカードに登録する振込先データのフォーマットについて標準仕様を定め、これに沿って本発明のＩＣカードを作製すれば、いずれの金融機関のＡＴＭへも適用することが可能である。
【００５３】
最後に、他の実施形態を挙げる。ＩＣカード端末機としての機能を具備しないパーソナル・コンピュータ、携帯電話、ＰＤＡ等からもいわゆるインターネット・バンキングにより振込依頼手続は可能である。このようなＩＣカード端末機以外の端末装置により振込依頼手続が行われた場合には、その時点でＩＣカードに振込先データを新規登録することも更新することもできない。そこで、そのような場合には、振込先データをホストコンピュータの記憶手段に一旦保存しておく。そして、次回、顧客がＩＣカードをＩＣカード端末機に適用したときにホストコンピュータから保存しておいた振込先データをＩＣカード端末機へ送信し、ＩＣカードへ自動的に登録若しくは更新するようにしてもよい。
【００５４】
【発明の効果】
以上述べた通り、本発明により、金融機関のＡＴＭ等のＩＣカード端末機に適用される振込機能を具備するＩＣカードであって、有効期間管理機能付きＩＣカードが実現された。本ＩＣカードは、メモリ内に登録された振込先データに一定の有効期間を設定し、ＡＴＭ等におけるＩＣカードの使用時に有効期間をチェックし、期間経過している振込先データは削除する機能を具備する。また、メモリ内に登録された振込先データが再使用されたときは、有効期間を更新する機能も具備する。これらの機能による処理は、カードユーザが意識することなくＩＣカード内で自動的に実行される。
【００５５】
これにより、ＩＣカードのメモリ内に登録された振込先データが際限なく増加していくことが防止され、かつ、カードユーザすなわち振込人が特別な操作を行うことなくこれを実現する。
【００５６】
さらに、本発明によるＩＣカードを適用するＡＴＭ等及びホストコンピュータについては、既存のシステムを大きく変更することなくほぼそのまま利用することができるので、ＡＴＭ等のシステム処理負担を増すことなく、また導入コストをかけることなく実施することができる。加えて、いずれの金融機関のＡＴＭへも適用することができるので、汎用性、利便性の高い振込機能付きＩＣカードを実現することができる。
【図面の簡単な説明】
【図１】本発明による振込先データの有効期間管理機能付きＩＣカード１０の模式的かつ概略的な構成を示すと共に、当該ＩＣカードを適用されるＡＴＭ２０並びに当該ＡＴＭ２０と適宜の通信ネットワークにより接続された金融機関のホストコンピュータ３０についても模式的かつ概略的に示した図である。
【図２】テーブル形式のファイルとして振込先データを記憶した振込先テーブル１２ａの一例を模式的に示した図である。
【図３】ＡＴＭ２０における振込依頼手続の処理フローを示す流れ図である。
【図４】ＩＣカード１０における有効期間データ管理フローを示す流れ図である。
【図５】（Ａ）〜（Ｃ）はそれぞれ、ＡＴＭ２０の表示手段２４における画面表示例である。
【符号の説明】
１０  ＩＣカード
１１  制御部
１１ａ  ＣＰＵ
１１ｂ  ＲＯＭ
１２  メモリ
１２ａ  振込先テーブル
１３  有効期間データ管理手段
１３ａ  有効期間設定更新機能
１３ｂ  有効期間経過判断機能
１３ｃ  振込先データ削除機能
２０  自動取引装置（ＡＴＭ）
２１  制御部
２１ａ  ＣＰＵ
２２  ＩＣカード読取／書込手段
２４  表示手段
２４ａ  振込関連表示機能
２５  入力手段
２５ａ  振込関連入力機能
２６  記憶手段
２７  通信手段
２７ａ  振込関連データ送受信機能
３０  ホストコンピュータ
３１  制御部
３１ａ  ＣＰＵ
３２  振込実行手段
３３  通信手段
３３ａ  振込関連データ送受信機能
【図１】
2004310572.tif 000003
【図２】
2004310572.tif 000004
【図３】
2004310572.tif 000005
【図４】
2004310572.tif 000006
【図５】
2004310572.tif 000007